(57)【特許請求の範囲】
【請求項１】
収納庫の箱体の下端に設けた左右方向を向く互いに平行な複数のレールに沿って互いに独立して移動しうるように、各引戸の下端における前記レールの直上に凹溝を形成するとともに、この凹溝内に、前記レール上を転動しうるローラを設けてなる複数の収納庫用引戸が、前記レールから脱落するのを防止するようにした、収納庫用引戸の脱落防止装置であって、
複数の引戸の側端面に当接しうるようにした板状の基部の一側面に、各引戸の凹溝とレールとの間に差し込み可能な複数の差込部を連設し、かつ任意の差込部の前面と任意の差込部の後面とに、前記差込部の側面より垂下し、差込部を凹溝内に差し込んだとき、レールの前後面に当接するようにした１対の係止部を設けたことを特徴とする収納庫用引戸の脱落防止装置。
【請求項２】
係止部を可撓性材料により形成するとともに、常態では１対の係止部が互いに拡開し、両係止部を下向きに弾性撓曲させて差込部を凹溝へ差し込むことにより、両係止部が凹溝の内面に圧接するようにした、請求項１記載の収納庫用引戸の脱落防止装置。
【請求項３】
収納庫の箱体の下端に設けた左右方向を向くレールに沿って移動しうるように、引戸の下端における前記レールの直上に凹溝を形成するとともに、この凹溝内に、前記レール上を転動しうるローラを設けてなる収納庫用引戸が、前記レールから脱落するのを防止するようにした、収納庫用引戸の脱落防止装置であって、
前記凹溝とレールとの間に差し込まれる差込部と、差込部の側面より垂下し、差込部を凹溝内に差し込んだとき、レールの前後面に当接するようにした前後１対の係止部とを備え、かつ前記係止部を可撓性材料により形成するとともに、常態では１対の係止部が互いに拡開し、両係止部を下向きに弾性撓曲させて差込部を凹溝へ差し込むことにより、両係止部が凹溝の内面に圧接するようにしたことを特徴とする収納庫用引戸の脱落防止装置。
【請求項４】
差込部の一端に、引戸の側端面に当接するようにした基部を連設した、請求項３記載の収納庫用引戸の脱落防止装置。
【請求項５】
係止部の下端に、レールの側面に形成した横溝に係合しうるフックを設けた、請求項１〜４のいずれかに記載の収納庫用引戸の脱落防止装置。
【発明の詳細な説明】
【０００１】
【発明の属する技術分野】
本発明は、引戸を備えた、たとえば書庫等の物品収納庫(以下書庫という)を搬送する際、振動等により、引戸がレールから脱落するのを防止するようにした装置に関する。
【０００２】
【従来の技術】
書庫等においては、引戸を着脱できるようにするために、引戸と書庫の筐体開口面上下との間に、若干のクリアランスが設けられているので、書庫を搬送する際、振動等により、引戸が書庫より脱落するおそれがある。
【０００３】
このようなおそれをなくすため、従来は搬送前に、筐体に取り付けた引戸と、引戸の上端が嵌入する上方レールとの間に、引戸の上下動を防止するストッパを挿入して、ストッパを止めねじや接着テープ等により筐体に仮止めし、搬送後にストッパを取り外していた。
【０００４】
【発明が解決しようとする課題】
そのため、ストッパの着脱作業に時間がかかり、また引戸の固定個所が高所で狭小であるため、作業が面倒であった。
【０００５】
本発明は、甚だ簡単な作業で、搬送中の引戸の脱落を防止しうる安価な装置を提供することを目的としている。
【０００６】
【課題を解決するための手段】
本発明によると、上記課題は次のようにして解決される。
(１) 収納庫の箱体の下端に設けた左右方向を向く互いに平行な複数のレールに沿って互いに独立して移動しうるように、各引戸の下端における前記レールの直上に凹溝を形成するとともに、この凹溝内に、前記レール上を転動しうるローラを設けてなる複数の収納庫用引戸が、前記レールから脱落するのを防止するようにした、収納庫用引戸の脱落防止装置において、複数の引戸の側端面に当接しうるようにした板状の基部の一側面に、各引戸の凹溝とレールとの間に差し込み可能な複数の差込部を連設し、かつ任意の差込部の前面と任意の差込部の後面とに、前記差込部の側面より垂下し、差込部を凹溝内に差し込んだとき、レールの前後面に当接するようにした１対の係止部を設ける。
【０００７】
(２) 上記(１)項において、係止部を可撓性材料により形成するとともに、常態では１対の係止部が互いに拡開し、両係止部を下向きに弾性撓曲させて差込部を凹溝へ差し込むことにより、両係止部が凹溝の内面に圧接するようにする。
【０００８】
(３) 収納庫の箱体の下端に設けた左右方向を向くレールに沿って移動しうるように、引戸の下端における前記レールの直上に凹溝を形成するとともに、この凹溝内に、前記レール上を転動しうるローラを設けてなる収納庫用引戸が、前記レールから脱落するのを防止するようにした、収納庫用引戸の脱落防止装置において、前記凹溝とレールとの間に差し込まれる差込部と、差込部の側面より垂下し、差込部を凹溝内に差し込んだとき、レールの前後面に当接するようにした前後１対の係止部とを備え、かつ前記係止部を可撓性材料により形成するとともに、常態では１対の係止部が互いに拡開し、両係止部を下向きに弾性撓曲させて差込部を凹溝へ差し込むことにより、両係止部が凹溝の内面に圧接するようにする。
【０００９】
(４) 上記(３)項において、差込部の一端に、引戸の側端面に当接するようにした基部を連設する。
【００１０】
(５) 上記(１)〜(４)項のいずれかにおいて、係止部の下端に、レールの側面に形成した横溝に係合しうるフックを設ける。
【００１１】
【発明の実施の形態】
以下本発明を、最も一般的な、等幅の２枚の引違いガラス戸に適用した書庫について具体的に説明する。
【００１２】
図５は、書庫(１)を示すもので、その箱体(２)の開口部の内下面には、図３に示すように、縦断面形がＩ字形をなし、左右方向を向く前後１対のレール(３)(３)が一体に成形されて敷設されている。各レール(３)の前後両側面には、長手方向を向く横溝(４)が形成されている。箱体(２)の開口部上面には、左右方向を向く２条の案内溝（図示略）が形成されている。
【００１３】
書庫(１)の前面を開閉する同形等寸の２枚の引戸(５)は、縦断面形がＨ字形をなす横長の袴(６)の上部に、ガラス板(７)の下端を嵌着して形成され、レール(３)の直上における袴(６)の下端に形成された凹溝(6a)内に枢設したローラ(８)が、図３に示すように、レール(３)に載り、かつ引戸(５)の上端が、上記案内溝に嵌合して、引戸(５)は左右に走行するようになっている。
【００１４】
図５は、引戸(５)(５)が右方に重合した場合を示すもので、(９)は引戸(５)の手掛け、(10)は書庫(１)の棚板である。
【００１５】
図１は、本発明の引戸(５)の脱落防止装置(11)を示すもので、弾性を有する合成樹脂製の、前後幅が両袴(６)(６)の前後幅より若干広幅のほぼ正方形の板状の基部(12)の一方の側面には、両引戸(５)(５)の間隔とほぼ等間隔をもって、互いに平行をなす前後１対の差込部(13)(13)が突設されている。
【００１６】
前方の差込部(13)の前面、及び後方の差込部(13)の後面には、基部(12)と若干の間隔を設けて、常態(外力が作用しない常態)では前後に互いに拡開する１対の係止部(14)が連設され、その先端には、下方を向くフック(15)が設けられ、また基端部の上面には、Ｖ字状の凹入溝(16)が形成されている。
【００１７】
基部(12)の側面下部における両差込部(13)(13)の間には、両差込部(13)(13)と若干の間隙を設けて、案内部(17)が突設されている。
【００１８】
上述の脱落防止装置(11)は、書庫(１)を搬送する際、両レール(３)(３)に取り付けた両引戸(５)(５)を前後に揃えて、図２に示すように、脱落防止装置(11)を手指で掴み、係止部(14)を凹溝(16)において下方に弾性屈曲させて、差込部(13)に重合させた後、両引戸(５)(５)の下端の凹溝(6a)(6a)に、基部(12)が両袴(６)(６)の側端面に当接するまで押し込めば、両フック(15)(15)が両レール(３)(３)の外側の両横溝(４)(４)に係合するとともに、脱落防止装置(11)の各部の外側面が凹溝(6a)の内側面に当接するので、引戸(５)が振動によりはね上がって、レール(３)より脱落するのが防止される。
【００１９】
また案内部(17)は、脱落防止装置(11)を差し込む際に、両引戸(５)(５)間に挿入されて、スペーサの役目をするとともに、他の部材と協力して、搬送中の引戸(５)の横揺れを防止する。
【００２０】
書庫(１)の搬送後は、脱落防止装置(11)を、袴(６)より簡単に引き抜くことができ、引き抜いた脱落防止装置(11)は、図１に示す原形に弾性復帰する。
【００２１】
以上は、基部(12)の一面に、２個の差込部(13)と、それに付属する係止部(14)を設けた、使用頻度の多い脱落防止装置であるが、図６に示すように、上記の基部(12)に相当して、横幅をその約半分とした基部(12')に、上記同様の差込部(13')を連設し、その差込部(13')の両側面に、上記と同様の１対の係止部(14')(14')を設け、上記案内部(17)を省略してもよい。
【００２２】
このものは、２枚の引戸(５)(５)を片側に寄せた際に、両引戸(５)(５)の側端面が不揃いとなるような場合に、各引戸(５)の凹溝(6a)に差込部(13')を上述同様に差し込んで、各引戸(５)を個別にレールに固定することができる。
【００２３】
また図示を省略したが、横幅の広幅な基部に３個以上の差込部(13)を設け、そのうちの任意の差込部の前面と任意の差込部の後面とに、１対の係止部(14)(14)を設ければ、箱体の開口面に等幅の３枚以上の引戸を設けた場合に、同時に３枚の引戸をレールに固定することができる。
【００２４】
【発明の効果】
請求項１記載の発明によると、差込部を引戸の凹溝とレールとの間に差し込んでおけば、１対の係止部がレールの前後の側面に当接し、万一運搬時の振動等により、引戸がレールからはね上がったとしても、引戸がレールより脱落することはない。
また、構造が簡単で、安価に製造できるとともに、くり返し使用することができる。
さらに、１個の脱落防止装置で、複数の引戸をレールに同時に固定しうるので、多数の引戸を短時間で固定することができる。
【００２５】
請求項２記載の発明によると、差込部を凹溝に差し込んだとき、係止部がその弾性により凹溝の内面に圧接することによって、差込部が引戸の側端面から抜け外れるのが防止されるとともに、引戸の横揺れやがたつきが防止される。
【００２６】
請求項３記載の発明によると、差込部を引戸の凹溝とレールとの間に差し込んでおけば、１対の係止部がレールの前後の側面に当接し、万一運搬時の振動等により、引戸がレールからはね上がったとしても、引戸がレールより脱落することはない。
また、構造が簡単で、安価に製造できるとともに、くり返し使用することができる。
さらに、差込部を凹溝に差し込んだとき、係止部がその弾性により凹溝の内面に圧接することによって、差込部が引戸の側端面から抜け外れるのが防止されるとともに、引戸の横揺れやがたつきが防止される。
【００２７】
請求項４記載の発明によると、基部が引戸の側端面に当接することにより、差込部が凹溝内に深く差し込まれ過ぎて、取り出せなくなるといった事態を防止することができるとともに、基部を把持して差込部を凹溝に着脱できるので、着脱作業が容易であり、使い勝手がよい。
【００２８】
請求項５記載の発明によると、フックがレールの横溝に係合することにより、脱落防止装置自体がレールから上方に外れるのを確実に防止でき、深さの深い凹溝に上下寸法の小さい差込部を差し込むことができる。
【図面の簡単な説明】
【図１】  本発明の脱落防止装置の一実施形態の正面図である。
【図２】  脱落防止装置取付開始時の引戸下部の側面図である。
【図３】  レール上の引戸下部の縦断側面図である。
【図４】  脱落防止装置取付後の引戸下部の縦断側面図である。
【図５】  本発明を適用した書庫の正面図である。
【図６】  本発明の脱落防止装置の変形例の正面図である。
【符号の説明】
(１)書庫(収納庫)
(２)箱体
(３)レール
(４)横溝
(５)引戸
(６)袴
(6a)凹溝
(７)ガラス板
(８)ローラ
(９)手掛け
(10)棚板
(11)脱落防止装置
(12)基部
(13)差込部
(14)係止部
(15)フック
(16)凹溝
(17)案内部
【図１】
0003750092.tif 000002
【図２】
0003750092.tif 000003
【図３】
0003750092.tif 000004
【図４】
0003750092.tif 000005
【図５】
0003750092.tif 000006
【図６】
0003750092.tif 000007